(57)【要約】【課題】幅の広いベルトであっても、ベルトのより皺を防止できるようにすること。【解決手段】積載台上に積載された運搬物に巻回して用いる荷崩れ防止ベルトであって、所定の長さと幅員を有する本体ベルト１と、ほぼ前記本体ベルト１の幅員を有し、その中央部を内側に湾曲させたリング状金具２と、前記リング状金具２の内側湾曲部を前記本体ベルト１の一端に固定し、前記本体ベルト１を前記運搬物に巻回して前記本体ベルト１の他端を前記リング状金具２に通して折り返し、前記運搬物を締め付け固着するための前記本体ベルト１に設けた面ファスナー３、４とを備える。【選択図】図１
2008230654.tif 000002
【特許請求の範囲】
【請求項１】
積載台上に積載された運搬物に巻回して用いる荷崩れ防止ベルトであって、
所定の長さと幅員を有する本体ベルトと、
ほぼ前記本体ベルトの幅員を有し、その中央部を内側に湾曲させたリング状金具と、
前記リング状金具の内側湾曲部を前記本体ベルトの一端に固定し、前記本体ベルトを前記運搬物に巻回して前記本体ベルトの他端を前記リング状金具に通して折り返し、前記運搬物を締め付け固着するための前記本体ベルトに設けた面ファスナーとを備えることを特徴とした荷崩れ防止ベルト。
【請求項２】
前記リング状金具を前記本体ベルトの一端に固定するための面ファスナーを備えることを特徴とした請求項１記載の荷崩れ防止ベルト。
【請求項３】
前記本体ベルトの一端に取付ひもを設け、該取付ひもで前記本体ベルトの一端を前記運搬物に仮止めして前記運搬物を巻回することを特徴とした請求項１又は２記載の荷崩れ防止ベルト。
【発明の詳細な説明】
【技術分野】
【０００１】
本発明は、主として荷役用パレット上に積載された各種の運搬物の荷崩れを防止する荷崩れ防止ベルトに関するもので、特に運搬物の周囲を簡便に巻き締め、且つ着脱容易な荷崩れ防止用の締め具に関するものである。
【背景技術】
【０００２】
従来から運搬物の荷崩れを防止するために、透明合成樹脂製フィルム材を複数周回巻きすることが行われていたが、これらは使い捨てのため、廃棄焼却時に有害ガスを発生する等の公害問題が発生していた。
【０００３】
そのため、企業の荷役配送では、環境保護の観点から再利用可能な荷崩れ防止ベルトが多用されるようになってきた。
【０００４】
従来、所定幅員の帯状の荷崩れ防止ベルトとして、例えば、特許文献１〜５等がある。これらはいずれも運搬物の周囲を巻回して、適宜な締結手段によってベルト本体の端部相互を連結し運搬物の周囲を締結するものであった。これらの荷崩れ防止ベルトは、いずれも繰り返し使用でき、また、結束時の安定性が得られるように、考えられたものであった。
【特許文献１】特開２００１−１２２２６６号公報
【特許文献２】特開２００３−０５４６２５号公報
【特許文献３】特開２００４−１４２８０４号公報
【特許文献４】特開２００４−１８９２９２号公報
【特許文献５】特開２００４−３３８８０１号公報
【発明の開示】
【発明が解決しようとする課題】
【０００５】
前記従来の荷崩れ防止ベルトは、いずれも繰り返し使用でき、また、結束時の安定性が得られるように、考えられたものであるが、その形状が複雑であったり、巻き締めする運搬物の全周にわたって十分な幅員を確保できるものではなかった。
【０００６】
本発明は、このような課題を解決するために、本体ベルトの一端の折り返し部分を通すリング状金具の形状において、その中央部を内側に湾曲させることで、幅の広いベルトにあっても、ベルトのより皺を防止することができるようにすることを目的とする。
【課題を解決するための手段】
【０００７】
図１は本発明の荷崩れ防止ベルトの説明図である。図１中、１は本体ベルト、２はリング状金具、３、４は面ファスナー、５は開口部、６、７は面ファスナー、８は取付ひも、９は目印である。
【０００８】
本発明は、上記の課題を解決するため次のように構成した。
【０００９】
（１）：積載台上に積載された運搬物に巻回して用いる荷崩れ防止ベルトであって、所定の長さと幅員を有する本体ベルト１と、ほぼ前記本体ベルト１の幅員を有し、その中央部を内側に湾曲させたリング状金具２と、前記リング状金具２の内側湾曲部を前記本体ベルト１の一端に固定し、前記本体ベルト１を前記運搬物に巻回して前記本体ベルト１の他端を前記リング状金具２に通して折り返し、前記運搬物を締め付け固着するための前記本体ベルト１に設けた面ファスナー３、４とを備える。このため、本体ベルトの形状が単純であるため、ほぼ同一の形状で、幅員のことなるベルトを生産し、提供できるため、荷役作業員にとって取り扱いが容易であるとともに、ベルトの折り返し部分を通すリング状金具の中央部を内側に湾曲させたので、幅の広いベルトにあっても、ベルトのより皺を防止することができる。
【００１０】
（２）：前記（１）の荷崩れ防止ベルトにおいて、前記リング状金具２を前記本体ベルト１の一端に固定するための面ファスナー６、７を備える。このため、リング状金具の本体ベルトへの取り付け取り外しを容易に行うことができる。
【００１１】
（３）：前記（１）又は（２）の荷崩れ防止ベルトにおいて、前記本体ベルト１の一端に取付ひも８を設け、該取付ひも８で前記本体ベルト１の一端を前記運搬物に仮止めして前記運搬物を巻回する。このため、巻きはじめに取付ひも８を運搬物に挟んで（仮止めし）、本体ベルト１（荷崩れ防止ベルト）を運搬物に容易に巻回することができる。
【発明の効果】
【００１２】
本発明によれば次のような効果がある。
【００１３】
（１）：ほぼ本体ベルトの幅員を有し、その中央部を内側に湾曲させたリング状金具を通して運搬物を締め付け固着するため、本体ベルトの形状が単純となり、ほぼ同一の形状で、幅員のことなるベルトを生産し、提供できるため、荷役作業員にとって取り扱いが容易であるとともに、ベルトの折り返し部分を通すリング状金具の中央部を内側に湾曲させたので、幅の広いベルトにあっても、ベルトのより皺を防止することができる。
【００１４】
（２）：リング状金具を本体ベルトの一端に固定するための面ファスナーを備えるため、リング状金具の本体ベルトへの取り付け取り外しを容易に行うことができる。
【００１５】
（３）：取付ひもで本体ベルトの一端を運搬物に仮止めして運搬物を巻回するため、本体ベルトを運搬物に容易に巻回することができる。
【発明を実施するための最良の形態】
【００１６】
本発明は、積載台上に積載された運搬物に巻回して用いる荷崩れ防止ベルトであって、所定の長さと幅員を有する本体ベルトと、ほぼ前記本体ベルトの幅員を有するリング状金具と、そのリング状金具を前記本体ベルトの一端に固定するための面ファスナーと、前記本体ベルトの他端をリング状金具に通して折り返したときに、締め付け固着するための面ファスナーとを備える。このため、前記本体ベルトの他端の折り返し部分を、面ファスナーで本体ベルトの一端に固定したリング状金具に通して、折り返し締め付けることで運搬物を固定でき、さらに、本体ベルトの一端の折り返し部分を通すリング状金具の形状において、その中央部を内側に湾曲させることで、幅の広いベルトにあっても、ベルトのより皺を防止することができるものである。
【００１７】
（１）：荷崩れ防止ベルトの説明
図１は本発明の荷崩れ防止ベルトの説明図であり、図１（ａ）は荷崩れ防止ベルトの表面の説明、図１（ｂ）は荷崩れ防止ベルトの裏面の説明、図１（ｃ）は本体ベルトにリング状金具を固定したときの説明である。
【００１８】
図１（ａ）において、本体ベルト１の表面には、左端の上下に設けられた面ファスナー３、４、開口部５、右端の上部には取付ひも８、目印９が設けてある。右側にはリング状金具２が設けてある。本体ベルト１は、運搬物の荷崩れを防ぐため所定幅員と長さを有するポリエステル繊維などの運搬時の引張衝撃に耐えうる強靱性を備えたものである。リング状金具２は、鋼鉄製等（樹脂でも良い）の長方形のリング状をしており、長辺の内側の長さがほぼ本体ベルト１の幅員を有し、長辺の中央部が内側に湾曲しているものである。面ファスナー３は、リング状金具２を通して本体ベルト１を折り返した時面ファスナー４と固着できるように、面ファスナー３が雄型であれば面ファスナー４は雌型となっている（なお、面ファスナー３、４の雄、雌のタイプは逆でもよい）。面ファスナー４は、面ファスナー３より長さが長い。これは、運搬物の大きさの変化に対応できるようにするためである。さらに、ここでは面ファスナー３、４の上下の幅は、同じものを示したが、面ファスナー４を広くして固着を容易にすることもできる。開口部５は、本体ベルト１で運搬物を締め付ける時に手を通すための開口である。取付ひも８は、幅が約５ｃｍ、長さが約３０ｃｍであり、本体ベルト１を巻き始めに、このひもを運搬物（荷物）に挟むことにより本体ベルト１の一端を仮止め（仮保持）できるものである。目印９は、赤色、オレンジ色等のカラー印であり、巻きはじめ（本体ベルト１の一端）である取付ひも８の場所を明示するものである。
【００１９】
図１（ｂ）において、本体ベルト１の裏面には、開口部５、面ファスナー６、７、取付ひも８が設けてある。右側にはリング状金具２が設けてある。面ファスナー６、７は、リング状金具２を本体ベルト１に固着するためのものであり、面ファスナー６が雄型であれば面ファスナー７は雌型となっている（なお、面ファスナー６、７の雄、雌のタイプは逆でもよい）。また、面ファスナー７の左右の幅が長い（図では面ファスナー６の２倍）のは、リング状金具２を通して面ファスナー６を折り返した時、面ファスナー６との固着を確実に行えるようにするためである。
【００２０】
図１（ｃ）において、本体ベルト１に、折り返しのためのリング状金具２を固定した荷崩れ防止ベルトを示している。なお、本体ベルト１にリング状金具２を固着するのに、面ファスナー６、７を用いたが、面ファスナーを用いずに縫い付けて固着することもできる。
【００２１】
（２）：リング状金具の説明
図２は湾曲させないリング状金具の説明図であり、図２（ａ）は湾曲させないリング状金具の説明、図２（ｂ）は本体ベルトを締め付けた場合の説明である。図２（ａ）において、リング状金具の長い辺を湾曲させないで、左右の辺が平行になっている。図２（ｂ）において、本体ベルト１をリング状金具２を通して締め付けた場合、リング状金具２の長い辺の中央が左右に広がり、本体ベルト１がリング状金具２の長辺の中央部により、より皺１１が生じる。
【００２２】
図３は中央部を湾曲させたリング状金具の説明図であり、図３（ａ）は中央部を湾曲させたリング状金具の説明、図３（ｂ）は本体ベルトを締め付けた場合の説明である。図３（ａ）において、リング状金具２の長い辺の中央部２１を内側に湾曲させてある。図３（ｂ）において、本体ベルト１をリング状金具２を通して締め付けた場合、リング状金具２の長い辺の中央部が内側に湾曲しているため、本体ベルト１がリング状金具２の長辺の中央部によることがなく、より皺１１（図２（ｂ）参照）が生じることがない。なお、本体ベルト１を締め付ける力は、運搬物をきず付けない程度で、リング状金具２の長い辺の中央部２１の内側湾曲が無くならない（湾曲が残る）程度とすることが必要である。
【００２３】
（３）：運搬物を締め付る場合の説明
図４は運搬物を締付けた状態の説明図である。図４において、積載台３０上に積載された運搬物３１に巻回して用いる荷崩れ防止ベルトであって、所定の長さと幅員を有する本体ベルト１の一端の上端に取付ひも８と目印９が設けられると共に本体ベルト１の一端にほぼ前記本体ベルト１の幅員を有するリング形状金具２が固着され、前記本体ベルトの他端をリング状金具２に通して折り返したときに、締め付け固着するための面ファスナー４を備えている。
【００２４】
このため、前記本体ベルト１の一端の取付ひも８を運搬物３１に挟み、本体ベルト１の一端を仮止めした後、本体ベルト１を運搬物３１に巻回し、他端の折り返し部分を、本体ベルト１に固定したリング状金具２に通して、折り返し開口部５で本体ベルト１を持ち締め付け、面ファスナー４に固定することで運搬物３１を固定できる。この時、本体ベルト１の他端の折り返し部分を通すリング状金具２の形状において、その中央部を内側に湾曲させることで、幅の広いベルトにあっても、ベルトのより皺を防止することができる。さらに、目印９により、本体ベルト１の巻きはじめである取付ひも８の位置を容易に見つけることができる。
【００２５】
このように、本発明の荷崩れ防止ベルトは、形状が単純であるため、ほぼ同一の形状で、幅員のことなるベルトを生産し、提供できるため、荷役作業員にとって取り扱いが容易である。
【００２６】
また、ベルトの折り返し部分を通すリング状金具の形状において、その中央部を内側に湾曲させることで、幅の広いベルトにあっても、ベルトのより皺を防止することが可能である。
【図面の簡単な説明】
【００２７】
【図１】本発明の荷崩れ防止ベルトの説明図である。
【図２】湾曲させないリング状金具の説明図である。
【図３】本発明の中央部を湾曲させたリング状金具の説明図である。
【図４】本発明の運搬物を締付けた状態の説明図である。
【符号の説明】
【００２８】
１  本体ベルト
２  リング状金具
３、４  面ファスナー
５  開口部
６、７  面ファスナー
８  取付ひも
９  目印
【図１】
2008230654.tif 000003
【図２】
2008230654.tif 000004
【図３】
2008230654.tif 000005
【図４】
2008230654.tif 000006